(57)【要約】ウォームギヤ機構(44)は、ウォーム(70)と、該ウォームに噛合うウォームホイール(80)と、から成る。該ウォームホイールの歯切り加工用に用いられるホブ(90)の歯の、少なくとも歯末の面(91c)は、円弧状に形成されている。該歯末の面の円弧の半径の中心(93)は、該ホブのピッチ線(94)よりも該ホブの中心線(WL')寄りに位置している。該ウォームホイールは、該ホブによって歯切り加工される。該ウォームは、該ホブと同形状に形成されている。該ウォームギヤ機構の遠のき噛合い長さ(L)は、従来のウォームギヤ機構の遠のき噛合い長さ(Llim)よりも、大きく設定されている。
2013084838.tif 000002
【特許請求の範囲】
【請求項１】
ウォームと、該ウォームに噛合うウォームホイールと、から成るウォームギヤ機構において、
前記ウォームの歯の少なくとも歯末の面は円弧状に形成され、該歯末の面の円弧の半径の中心は、前記ウォームのピッチ線よりも前記ウォームの中心線寄りに位置し、
前記ウォームホイールは、該ウォームホイールの歯切り加工用に用いるホブにおいて、該ホブの歯の少なくとも歯末の面が円弧状に形成され、該歯末の面の円弧の半径の中心が、前記ホブのピッチ線よりも前記ホブの中心線寄りに位置している、前記ホブによって歯切り加工されたものであり、
前記ウォームと前記ウォームホイールとを噛合わせる前記ウォームギヤ機構の遠のき噛合い長さは、インボリュート歯形のウォームとインボリュート歯形のウォームホイールとから成るウォームギヤ機構の遠のき噛合い長さよりも、大きく設定されている、
ことを特徴とするウォームギヤ機構。
【請求項２】
前記ウォームホイールの少なくとも歯は、樹脂の成形品によって構成されている、請求項１記載のウォームギヤ機構。
【発明の詳細な説明】
【技術分野】
【０００１】
本発明は、ウォームギヤ機構の改良技術に関する。
【背景技術】
【０００２】
例えば、車両のパワーステアリング装置に、ウォームギヤ機構が搭載される（例えば、特許文献１（図１４）参照。）。【０００３】
特許文献１に示されるような、ウォームギヤ機構は、ウォーム軸を介して電動モータに接続されているウォームと、該ウォームに噛合うウォームホイールとを備え、電動モータが発生した補助トルクをウォームからウォームホイールへ倍力して伝達する伝動機構である。【０００４】
一般に、ウォームが回転しウォームホイールを押す方向に力が加わることにより、ウォームとウォームホイールとの接触点において、ウォームは、ウォームホイールからの反力を受ける。ウォームギヤ機構の強度を高めることができれば、ウォームギヤ機構の長寿命化を図ることができ望ましい。
【先行技術文献】
【特許文献】
【０００５】
【特許文献１】特開２０１０−２７０９０８号公報
【発明の概要】
【発明が解決しようとする課題】
【０００６】
本発明は、ウォームギヤ機構の強度を高めることができる技術の提供を課題とする。
【課題を解決するための手段】
【０００７】
本発明によれば、ウォームと、該ウォームに噛合うウォームホイールと、から成るウォームギヤ機構において、ウォームの歯の少なくとも歯末の面は円弧状に形成され、該歯末の面の円弧の半径の中心は、ウォームのピッチ線よりもウォームの中心線寄りに位置し、ウォームホイールは、該ウォームホイールの歯切り加工用に用いるホブにおいて、該ホブの歯の少なくとも歯末の面が円弧状に形成され、該歯末の面の円弧の半径の中心が、ホブのピッチ線よりもホブの中心線寄りに位置している、ホブによって歯切り加工されたものであり、ウォームとウォームホイールとを噛合わせるウォームギヤ機構の遠のき噛合い長さは、インボリュート歯形のウォームとインボリュート歯形のウォームホイールとから成るウォームギヤ機構の遠のき噛合い長さよりも、大きく設定されている、ことを特徴とする。【０００８】
好ましくは、ウォームホイールの少なくとも歯は、樹脂の成形品によって構成されている。
【発明の効果】
【０００９】
本発明では、基礎円の付近での面圧を低減することができる。また、基礎円よりも歯底側の歯形の切下げをなくすることができるので、基礎円より歯底側も噛合い面とすることができる。これにより、ウォームホイールの歯先の径を大きくしなくても、噛合い率を高めることができるので、ウォームギヤ機構の強度を高めることができる。【００１０】
さらに、本発明では、樹脂製のウォームホイールは弾性係数が小さいので、歯が撓みやすい。複数の歯が同時にウォームの歯に噛合う場合においては、噛合い高さが低いほど、噛合う歯の分担荷重が大きくなる。しかし、噛合い高さの低い部分の接触面積を大きくとることができるので、面圧を下げることができる。
【図面の簡単な説明】
【００１１】
【図１】本発明によるウォームギヤ機構が搭載されている電動パワーステアリング装置の模式図である。
【図２】図１に示された電動パワーステアリング装置の全体構成図である。
【図３】図２の３−３線断面図である。
【図４】図２の４−４線断面図である。
【図５】図４に示されたウォームホイールと従来のウォームホイールとを比較する図である。
【図６】図５に示された従来のウォームホイールの改善策を説明する図である。
【図７】図５に示された従来のウォームホイールの歯元形状を定式化するための図である。
【図８】図５に示された従来のウォームホイールの歯元形状の定式化のためのモデル化を行った図である。
【図９】図６に示されたホブの歯先円弧中心点を転位させた場合のトロコイド曲線を説明する図（Shifted Trochoid）である。
【図１０】図９（ａ）に示された負転位トロコイドによる包絡線とその作用線を説明する図である。
【図１１】図９（ｂ）に示された零転位トロコイドによる包絡線とその作用線を説明する図である。
【図１２】図９（ｃ）に示された正転位トロコイドによる包絡線とその作用線を説明する図である。
【図１３】図５に示された従来のウォームホイールが有する問題点の理由を説明する図である。
【図１４】図９（ｃ）に示された正転位トロコイドにより歯元の歯形が形成されたウォームホイールの要部拡大図である。
【図１５】図１４に示された歯形を用いたウォームホイールに対するウォームの噛合いを説明する図である。
【図１６】図１５に示されたウォームを基に修正されたウォームと図１４に示された歯形を用いたウォームホイールが噛合わされた状態を説明する図である。
【図１７】図１４に示されたウォームホイールの噛合いと従来のウォームホイールの噛合いとを比較する図である。
【図１８】図１７に示された噛合いについて詳細に比較する図である。
【図１９】図１４に示されたウォームホイールの噛合いに関する性能検証のために行った実験について説明する図である。
【図２０】図１９において説明した実験の結果を説明する図である。
【図２１】図５（ａ）に示された従来のウォームホイールの歯形が有する課題を説明する図である。
【図２２】図２１に示されたウォームホイールの歯切り時におけるホブの動きを説明する図である。
【図２３】図２２に示されたホブの歯先の動きを説明する図である。
【図２４】図２１に示されたウォームホイールに生じているくびれが生じないための対策について説明する図である。
【図２５】図２１に示されたウォームホイールと図４に示された切下げのないウォームホイールとを比較する図である。
【図２６】図２５（ｂ）に示された正転位コロイドにより形成した歯元の形状について説明する図である。
【図２７】図２６において説明したトロコイド曲線について補足する図である。
【図２８】図２６において説明したトロコイド曲線についてさらに補足する図である。
【図２９】図２５に示されたウォームホイールとウォームとの噛合いについて説明する図である。
【図３０】図２５に示されたウォームホイールを形成するための歯切り工具（ホブ）について説明する図である。
【図３１】図３０に示されたホブによって形成されたウォームホイールの歯形について説明する図である。
【図３２】図５（ａ）に示された従来のウォームホイール（インボリュート歯形）の噛合いについて説明する図である。
【図３３】図５（ｂ）に示された本発明によるウォームホイールの噛合いについて説明する図である。
【図３４】図３２の３４部拡大図である。
【図３５】図３３の３５部拡大図である。
【図３６】図３５に示されたウォームホイールの歯形の修正について説明する図である。
【図３７】図３６に示されたウォームホイールの変更例について説明する図である。
【図３８】図３５に示されたウォームホイールを形成するために必要なホブの修正量を説明する図である。
【発明を実施するための形態】
【００１２】
本発明を実施するための形態を添付図に基づいて以下に説明する。
【実施例】
【００１３】
実施例によるウォームギヤ機構を電動パワーステアリング装置に搭載し、該電動パワーステアリング装置を車両に用いた例を図に基づき説明する。【００１４】
図１に示されるように、電動パワーステアリング装置１０は、車両のステアリングホイール２１から車両の操舵車輪２９，２９（例えば前輪）に至るステアリング系２０と、該ステアリング系２０に補助トルクを加える補助トルク機構４０とからなる。【００１５】
ステアリング系２０は、ステアリングホイール２１にステアリングシャフト２２及び自在軸継手２３，２３を介してピニオン軸２４が連結され、ピニオン軸２４にラックアンドピニオン機構２５を介してラック軸２６が連結され、ラック軸２６の両端に左右のタイロッド２７，２７及びナックル２８，２８を介して左右の操舵車輪２９，２９が連結され、たものである。【００１６】
ラックアンドピニオン機構２５は、ピニオン軸２４に形成されたピニオン３１と、ラック軸２６に形成されたラック３２とからなる。【００１７】
ステアリング系２０によれば、運転者がステアリングホイール２１を操舵することによって、操舵トルクによりラックアンドピニオン機構２５及び左右のタイロッド２７，２７を介して、左右の操舵車輪２９，２９を操舵することができる。【００１８】
補助トルク機構４０は、ステアリングホイール２１に加えたステアリング系２０の操舵トルクを操舵トルクセンサ４１で検出し、該操舵トルクセンサ４１のトルク検出信号に基づき制御部４２で制御信号を発生し、該制御信号に基づき操舵トルクに応じた補助トルクを電動モータ（電動機）４３で発生し、該補助トルクをウォームギヤ機構４４を介してピニオン軸２４に伝達し、さらに、補助トルクをピニオン軸２４からステアリング系２０のラックアンドピニオン機構２５に伝達するようにした機構である。【００１９】
操舵トルクセンサ４１は、ピニオン軸２４に加えられたトルクを検出し、トルク検出信号として出力するものであり、例えば磁歪式トルクセンサやトーションバー式トルクセンサによって構成される。【００２０】
電動パワーステアリング装置１０によれば、運転者の操舵トルクに電動モータ４３の補助トルクを加えた複合トルクにより、ラック軸２６で操舵車輪２９，２９を操舵することができる。【００２１】
図２に示されるように、ハウジング５１は車幅方向（図左右方向）に延びており、ラック軸２６を軸方向にスライド可能に収容している。ラック軸２６には、ハウジング５１から突出した長手方向両端に、ボールジョイント５２，５２を介してタイロッド２７，２７が連結されている。【００２２】
図３に示されるように、電動パワーステアリング装置１０は、ピニオン軸２４、ラックアンドピニオン機構２５、操舵トルクセンサ４１及びウォームギヤ機構４４をハウジング５１に収納し、ハウジング５１の上部開口を上部カバー部５３で塞いだものである。操舵トルクセンサ４１は、上部カバー部５３に取付けたものである。【００２３】
ハウジング５１は、上下に延びるピニオン軸２４の上部２４ｕ、長手中央部２４ｍ及び下端部２４ｄを３個の軸受（上から下方へ順に第１軸受５５、第２軸受５６、第３軸受５７）を介して回転可能に支持したものであり、さらに電動モータ４３が取付けられるとともに、ラックガイド６０を備えている。３個の軸受５５〜５７には、共に転がり軸受が用いられている。【００２４】
ラックガイド６０は、ラック３２とは反対側からラック軸２６に当てるガイド部６１と、該ガイド部６１を圧縮ばね６２を介して押す調整ボルト６３とからなる、ラック押圧手段である。【００２５】
図４に示されるように、電動モータ４３はハウジング５１の側面に取付けられており、横向きのモータ軸（出力軸）４３ａを備える。該モータ軸４３ａはハウジング５１内に延び、軸継手４５によってウォーム軸４６に連結されている。ハウジング５１は、水平に延びるウォーム軸４６の両端部４６ａ，４６ｂを、軸受４７，４８を介して回転可能に且つ軸方向への移動を規制して支承している。２個の軸受４７，４８は、共に転がり軸受からなる。【００２６】
ウォームギヤ機構４４は、電動モータ４３が発生した補助トルクをピニオン軸２４に伝達する補助トルク伝達機構、即ち倍力機構である。詳しく述べると、ウォームギヤ機構４４は、ウォーム７０と、該ウォーム７０に噛合うウォームホイール８０とからなる。ウォームホイール８０のことを、以下「ホイール８０」と略称する。ウォーム７０の中心線ＷＬに対して、ホイール８０の中心線ＣＬは略直角に配置されている。該ホイール８０の中心線ＣＬは、ピニオン軸２４の中心線ＣＬでもある。【００２７】
ウォーム７０は、ウォーム軸４６に一体に形成されている金属製品、例えば機械構造用炭素鋼鋼材（ＪＩＳ−Ｇ−４０５１）等の鉄鋼製品である。ホイール８０は、全体又は少なくとも歯８１の部分がナイロン樹脂等の樹脂製品である。金属製品のウォーム７０に樹脂製品のホイール８０を噛合わせるようにしたので、噛合いを比較的円滑にすることができるとともに、騒音を一層低減させることができる。【００２８】
ウォーム７０のねじ山７１（つまり、歯７１）は１条に設定されている。ホイール８０の外周面には、全周にわたって等ピッチの複数の歯８１が形成されている。該ホイール８０は、ピニオン軸２４に対して軸方向への相対移動が規制され、且つ相対回転が規制されて取付けられている。例えば、ホイール８０はピニオン軸２４に対して、回転方向にはセレーションやスプラインによって連結されるとともに、軸方向には止め輪によって取付けられている。駆動側のウォーム７０に負荷側のホイール８０を噛合わせることによって、ウォーム７０からホイール８０を介して負荷にトルクを伝達することができる。【００２９】
このようなウォームギヤ機構４４には、様々な性能が求められる。例えば、その一つに、噛み合い率の向上と高強度化が挙げられる。詳細を次図以降において説明する。【００３０】
先ず、図２１に示される、従来のウォームギヤ機構２００について説明する。該ウォームギヤ機構２００のウォームホイール２２０の歯形は、歯先を２２１ａ、歯底を２２１ｃ、基礎円を３０１、ピッチ円（噛合いピッチ円）を３０２とした、インボリュート歯形である。基礎円３０１よりも外周側において、歯２２１の厚みが最大となる部位における、歯の厚みはＷ２である。従来、ウォームギヤ機構２００の噛合い率を向上させ、高強度化するために、インボリュート歯形のホイール２２０の歯丈ＨＴを高くすることが知られている。【００３１】
しかし、ウォームホイール２２０がホブによって歯切り加工されたときに、歯元２２１ｂが切り下げられてアンダカットが発生する。基礎円３０１よりもホイール２２０の中心側において、歯２２１の厚みが最小となる部位における、歯の厚みはＷ１である。このように、歯元２２１ｂが、くびれるので、歯の厚みＷ１は、Ｗ２よりも小さい。この結果、歯２２１の曲げ強度が低下する。また、ホイール２２０の歯形は、基礎円３０１付近の部位が曲率半径の小さい凸形状となる。曲率半径の小さい凸形なので、ウォームと接触する接触面積が減少する。この結果、噛合い接触面圧が増大する。即ち、インボリュート歯形のホイール２２０の歯丈ＨＴを高くすると、曲げ強度の低下及び面圧強度の低下を招く傾向がある。【００３２】
図２２に示されるように、ホイール２２０は、ホブ（ホブカッター）２３０によって歯形が成形される。ホブ２３０の歯２３１のピッチ中心２３１Ｃｅは、線３１２の部位（ピッチ高さ３１２）に位置する。ピッチ中心２３１Ｃｅの軌跡は、線３１１によって示される。該軌跡３１１から明らかなように、ホブ２３０の歯２３１は、ホイール２２０のピッチ円３０２を転がるように動いて、ホイール２２０の歯形を創成する（成形する）。このとき、ホブ２３０の歯先２３１ａは、ホイール２２０の歯面のなかの、基礎円３０１より下部（歯底寄りの面）をえぐり取っている。【００３３】
図２３に示されるように、ホブ２３０の歯２３１の歯先２３１ａの角部は、所定の小さい曲率半径の円弧状に形成されている。歯先２３１ａの角部の、円弧の中心２３１ｂの軌跡は、線３１３によって示される。本発明者らは、円弧の中心２３１ｂが輪を描くような動きをすることによって、歯元２２１の面が凹形状（くびれ形状）に成形される、との知見を得た。即ち、歯先２３１ａの角部の、円弧の中心２３１ｂの軌跡３１３が、基礎円３０１よりも中心側の位置で輪を描くので、この結果、切下げ現象（アンダカット）が発生する要因と考えられる。線３１２から湾曲形状の中心２３１ｂまでの長さは、ｈである。該長さｈのことを、アーム長という。【００３４】
このような切下げ現象（アンダカット）の発生を防止するには、図２４に示されるように、ホブ２３０の歯丈ＨＴｈを低くすることが考えられる。歯丈ＨＴｈを低くすることにより、基礎円３０１よりもホイール２２０の中心側において、歯先２３１ａの角部の、円弧の中心２３１ｂの軌跡３１３（円弧の中心２３１ｂが描く輪）が小さくなる。このため、切下げ現象（アンダカット）が生じにくくなる。しかし、ホブ２３０の歯丈ＨＴｈを低くすると、切下げ現象は生じにくくなるが、ホイール２２０の歯丈ＨＴが低くなる。【００３５】
図２３に戻り、再度、ホブ２３０の歯２３１の歯先２３１ａの角部の、円弧の中心２３１ｂの軌跡３１３について考える。軌跡３１３は、「負転位トロコイド曲線」を描いている。軌跡３１３が負転位トロコイド曲線を描く理由は、角部の円弧の中心２３１ｂが、ピッチ高さ３１２よりも歯先２３１ａ側に存在するからであると、本発明者らは考えた。即ち、軌跡３１３が負転位トロコイド曲線を描くことにより、ホブ２３０の歯先２３１ａの角部は、基礎円３０１よりも中心側において輪を描くように、歯切り作用をする。歯元２２１ｂの面は、ホブ２３０の歯先２３１ａの角部によって切り下げられる。この結果、歯元２２１ｂの面には、アンダカットが発生する。【００３６】
次に、図２２に示される従来のホイール２２０と、図４に示された実施例のホイール８０とを、図２５（ａ）及び図２５（ｂ）に基づいて対比する。【００３７】
図２５（ａ）は、図２２に示された従来のホイール２２０のピッチ円３０２と、該ホイール２２０を歯切り加工をするためのホブ２３０の歯２３１の歯形とを、模式的に表している。ホブ２３０の歯２３１はホイール２２０よりも大きく表されている。従来のホブ２３０の歯２３１の歯形は、インボリュート歯形であって、歯先２３１ａの角部を円弧状に形成されている。円弧の中心２３１ｂは、ホブ２３０のピッチ線３１２に対して歯先２３１ａ側（ホイール２２０の歯の歯元側）に位置している。この場合には、中心２３１ｂの軌跡３１３は負転位トロコイド曲線を描く。【００３８】
図２５（ｂ）は、図４に示された実施例のホイール８０のピッチ円１１２と、該ホイール８０を歯切り加工をするためのホブ９０の歯９１の歯形とを、模式的に表している。該ホブ９０の歯９１はホイール８０よりも大きく表されている。実施例のホブ９０の歯９１の歯形は、インボリュート歯形である。但し、歯９１の歯末の面９１ｃは、曲率半径が大きい円弧状に修正されている。これは、該歯末の面９１ｃの円弧の中心９３（以下、「歯末の面の中心９３」と記す。）の軌跡３１３が、負転位トロコイドとならないようにするためである。具体的には、歯末の面９１ｃの中心９３は、ピッチ線９４に対してホブ２３０の中心線（軸線）ＷＬ’寄りに位置している。これにより、歯末の面の中心９３の軌跡３１３は、正転位トロコイドを描く。即ち、正転位トロコイドとすることにより、従来の輪を描くような軌跡を抑制できる。【００３９】
以上の説明をまとめると、次の通りである。実施例のホブ９０の歯９１は、少なくとも歯末の面９１ｃが円弧状に形成されている。該歯末の面９１ｃの円弧の半径の中心９３は、ホブ９０のピッチ線９４よりも、ホブ９０の中心線（軸線）ＷＬ’寄りに位置している。【００４０】
ホイール８０に噛合うウォーム７０も、ホブ９０と同様の形状に形成されることが望ましい。即ち、ウォーム７０の歯７１の少なくとも歯末の面７１ｃは、円弧状に形成される。該歯末の面７１ｃの円弧の半径の中心７３は、ウォーム７０のピッチ線７４よりもウォーム７０の中心線（軸線）ＷＬ’’寄りに位置している。【００４１】
図２６に示されるように、実施例のホイール８０の歯末の面の中心９３の軌跡は、線３１３によって示されるように、正転位トロコイド曲線を描く。線３１３（軌跡３１３）に沿って動くホブ９０によって形成されるホイール８０の歯８１は、歯元８１ｃに切下げのない形状に形成される。８１ａはホイール８０の歯８１の歯先である。８１ｂは歯８１の歯底である。【００４２】
ここで、本発明の原理となっているトロコイド曲線について、図２７及び図２８に基づき補足する。先ず、図２７を参照して、固定円４０１の上を転がる動円４０２ａについて、動円４０２ａ内にある点（座標Ｘ，Ｙ）の軌跡、即ちトロコイド曲線を以下のようにして求める。なお、該固定円４０１は、ホイール８０のピッチ円を想定した円である。４０２ａは、固定円４０１の上を転がる動円を示している。４０２ｂは、４０２ａから所定の距離だけ、固定円４０１の上を転がった動円を示している。線４０３は、動円４０２内にある点（Ｘ，Ｙ）の軌跡を示している。即ち、線４０３は、トロコイド曲線である。Ｐ１は、動円４０２ａにおける線４０３上の点をいい、アーム先端という。ｈは、点Ｐ１から固定円４０１までの長さ（アーム長）である。【００４３】
図２７を参照して、固定円４０１の上を転がる動円４０２について、動円４０２ｂ内にある点（Ｘ，Ｙ）の軌跡、即ちトロコイド曲線を以下のようにして求める。【００４４】
【数１】
2013084838.tif 000003
【００４５】
図２８を参照して、トロコイド曲線４０３を描く動円（図２７、符号４０２参照）の半径が∞の場合を考える。【００４６】
【数２】
2013084838.tif 000004
【００４７】
ここで、従来のウォームギヤ機構２００と実施例のウォームギヤ機構４４とを対比して説明する。図２９は、従来のウォームギヤ機構２００の噛み合い状態を示している。該ウォームギヤ機構２００は、ウォーム２１０とウォームホイール２２０とから成る。ウォーム２１０とホイール２２０の、各歯の歯形は、インボリュート歯形である。ウォーム２１０の歯の歯先とホイール２２０の基礎円３０１との交点を、第１交点Ｐ１１とする。ウォーム２１０のピッチ線３３２とホイール２２０のピッチ円３０２との交点を、第２交点Ｐ１２とする。第１交点Ｐ１１と第２交点Ｐ１２とを通る直線を、噛合い線３２１という。噛合い線３２１とホイール２２０の歯先円３０５との交点を、第３交点Ｐ１３とする。第１交点Ｐ１１から第３交点Ｐ１３までの長さのことを「噛合い長さ」という。【００４８】
ウォーム２１０とホイール２２０とは、噛合い線３２１上において、噛合い長さの範囲で噛み合い可能である。ホイール２２０の基礎円３０１は、インボリュート歯形においてはモジュールと歯数、捩れ角によって一意的に定まる。このため、第３交点Ｐ１３の位置も一意的に定まる。噛合い長さを長くするには、ホイール２２０の外径を大きくすることが必要となる。このため、ウォームギヤ機構２００を小型化することができないという課題があった。【００４９】
また、従来のウォームギヤ機構２００を車両用電動パワーステアリング装置に用いた場合には、ホイール２２０の歯２２１には、樹脂材を用いることが多い。樹脂材を用いるホイール２２０では、材料の弾性係数が小さいために歯２２１が撓みやすい。複数枚の歯２２１が同時に噛み合う場合においては、噛合い高さが低いほど、噛合う歯２２１の分担荷重が大きくなる。即ち、各々の歯２２１に加わる荷重が大きくなる。【００５０】
さらに、インボリュート歯形では、基礎円３０１に近いほど曲率半径が小さくなる。基礎円３０１付近における噛合い面圧は、ピッチ円３０２付近における噛合い面圧に比べて非常に大きくなる。このため、噛合い線３２１を基礎円３０１よりもホイール中心側まで伸ばすことが困難であるという課題があった。【００５１】
図３０に想像線によって示される、従来のホブの歯２３１の歯形は、噛合い歯面が直線であるインボリュート形状であった。これに対し、図３０に実線によって示される、実施例のホブ９０の歯９１の歯形は、歯末面９１ｃの一部をインボリュート形状よりも薄くしている。具体的には、実施例のホブ９０の歯９１の歯末面９１ｃの一部を、インボリュート曲線に接する略円弧状として、歯厚を薄くしている。【００５２】
図３１に想像線によって示される、従来のホイール２２０の歯２２１は、従来のホブ２３０（図３０参照）により歯切りされたものである。従来の歯２２１は、歯元の面に切下げ現象（アンダーカット）が生じる。この結果、歯２２１の歯面は、基礎円３０１付近において著しい凸形状となる。【００５３】
これに対し、図３１に実線によって示される、実施例のホイール８０の歯８１は、実施例のホブ９０により歯切りされたものである。該ホブ９０の歯９１の歯厚は薄い。ホイール８０の歯８１には、歯元の面に切下げ現象（アンダーカット）が生じることはない。この結果、歯８１の歯面は、基礎円１１１付近において凸形状となることはない。歯８１の歯面に作用する面圧を低減することができる。【００５４】
図３２は、従来のウォームギヤ機構２００の噛み合い状態を示し、上記図２９に対応して表している。ウォーム２１０とホイール２２０とは、図３４に白抜き矢印によって示されるように、基礎円３０１付近（噛合い線３２１上）で噛合う。【００５５】
図３３は、実施例のウォームギヤ機構４４の噛み合い状態を示し、上記図２９に対応して表している。ウォーム７０とホイール８０とは、図３５に白抜き矢印によって示されるように、基礎円１１１よりも歯底寄りの位置で噛合う。１２１は、ホイール８０とウォーム７０との噛合い線である。【００５６】
図３６は、ホブの歯の歯厚の修正量を変えることによる、ホイール８０の歯８１の歯形の変化を示している。図３６に想像線によって示される従来のホイール２２０の歯２２１は、歯元の面が凹んでいる。つまり、歯元の面にアンダカットが発生している。これは、ホブ２３０（図２３参照）の歯２３１の歯を全く修正しないからである。【００５７】
これに対し、実施例では、図２５（ｂ）に示されるようにホブ９０の歯９１を修正した。該歯９１の修正量が小さい場合の、ホイール８０の歯８１の歯形は、図３６に細い実線によって示される。歯８１の歯元の歯厚は、従来よりも大きい。該歯９１の修正量が大きい場合の、ホイール８０の歯８１の歯形は、図３６に太い実線によって示される。歯８１の歯元の歯厚は更に大きくなる。【００５８】
このように、該ホブ９０の歯９１の修正量が大きくなるに従って、ホイール８０の歯８１の歯元の面の凹みがなくなり、歯元の歯厚も大きくなっていく。しかも、基礎円１１１付近における、歯８１の歯面の曲率半径が大きくなっていく。つまり、歯８１の歯面は、基礎円１１１付近におい、従来のように大きく凸形状となることはない。【００５９】
上記実施例のホイール８０の歯８１は、図３７に示される変更例のホイール８０Ｘの歯８１Ｘにすることができる。該変更例のホイール８０Ｘの歯８１Ｘは、歯元の少なくとも一部の歯厚を、従来のホイール２２０の歯２２１の歯元の歯厚よりも、大きく設定したものである。従って、変形例の歯８１Ｘは、実施例の歯８１と同等の効果を得ることができる。詳しく述べると、従来のホイール２２０の歯２２１の歯形は、図３７に想像線によって示される。実施例のホイール８０の歯８１の歯形は、図３７に細い実線によって示される。変更例のホイール８０Ｘの歯８１Ｘの歯形は、図３７に太い実線によって示される。【００６０】
該変形例の歯８１Ｘの歯形は、例えば、従来の歯２２１の歯形と、実施例の歯８１の歯形との、中間的な形状に形成される。一例を述べると、従来の歯２２１の歯元の丈に対し、実施例の歯８１の歯元の丈は同一である。しかし、実施例の歯８１の歯元の丈に対し、変形例の歯８１Ｘの歯元の丈は小さい。さらに、変形例の歯８１Ｘの歯元の歯厚は、従来の歯２２１の歯元の歯厚よりも大きく、実施例の歯８１の歯元の歯厚よりも小さい。但し、変形例の歯８１Ｘの歯元の面には、凹みがない。【００６１】
変形例の歯８１Ｘは、特殊な歯形をしているので、ホブ盤などのインボリュート歯形を創成する機械では製作できないものの、金型を用いた射出成型や、フライス加工によって、直接に創成することができる。即ち、実施例では、歯厚が修正されたホブによって、ホイール８０の歯８１を創成するという、間接的な方法によって、該歯８１の面圧強度や曲げ強度を高めるものであった。これに対し、変形例では、歯８１Ｘの面圧強度や曲げ強度を高めるのに、該歯８１Ｘを直接的に創成することができる。このため、求める歯８１Ｘの歯形を直接的に、きめ細かく設計することができる。従って、実施例の歯８１を、さらに改良することができる。例えば、ギヤの歯丈、歯底の曲率半径、歯厚を、きめ細かく変更することができる。【００６２】
上記図２６に示された、実施例のホイール８０の歯８１を創成するときに、歯元２２１ｂを切り下げない（アンダカットを発生しない）ために最低限必要な、ホブ９０の歯９１の修正量δ（図３８参照）、つまり最低修正量δは、次のように求められる。即ち、図３８を参照しつつ説明すると、ホブ９０の歯９１の最低修正量δは次の（８）式によって求められる。但し、該ホイール８０の歯形は、インボリュート歯形Ｔｉｍを基本とする。該ホイール８０は、回転移動方向Ｒｒ（図時計回り方向Ｒｒ）へ回転するものとする。ホブ９０の歯９１は、ピッチ線Ｌｈｐに対して平行移動する（移動方向Ｄｓ）。該ホブ９０の歯９１の歯形は、線Ｈｃによって示される。ホイール８０の歯８１のインボリュート作用線Ｌｉａと、該歯８１のインボリュート歯形Ｔｉｍとの交点は、切削点Ｐｓである。該ホブ９０によってホイール８０の歯８１の切り下げが始まる点、つまり切り下げ点はＰｒである。【００６３】
ホイール８０の歯８１のインボリュート作用線Ｌｉａと、ホブ９０の歯９１のピッチ線Ｌｈｐと、の交点をＰｘとする。ホイール８０の中心ＣＬから交点Ｐｘまでの直線を、基準線Ｌｐとする。最低修正量δだけ修正されたホブ９０の歯９１の歯面Ｔｈ１と、ホイール８０の歯８１の基礎円１１１との交点をＰｙとする。ホイール８０の中心ＣＬと交点Ｐｙとを通る直線を修正基準線Ｌｔとする。基準線Ｌｐに対する修正基準線Ｌｔの傾き角（修正角）をθとする。該修正角θは、ホイール８０の歯８１（ホブ９０の歯９１の）の圧力角αよりも大きいことを条件とする（θ＞α）。【００６４】
ｍ；ホイール８０のモジュール
Ｚ；ホイール８０の歯数
Ｒｂ；ホイール８０の基礎円１１１の半径
Ｒｐ；ホイール８０のピッチ円１１２の半径
Ｒｐ−Ｒｂ・ｃｏｓθ；ホブ９０の歯９１のピッチ線Ｌｈｐから交点Ｐｙまでの高さ（但し、θ＞α）。【００６５】
【数３】
2013084838.tif 000005
【００６６】
このように、実施例では、インボリュート歯形を切削するホブ９０において、歯形を修正する領域は、ホブ９０のピッチ線Ｌｈｐから歯先方向への高さ、即ちホブ９０の歯９１のピッチ線Ｌｈｐから交点Ｐｙまでの高さが「Ｒｐ−Ｒｂ・ｃｏｓθ」以上の範囲の歯面とする。そして、ピッチ線Ｌｈｐからの高さが「Ｒｐ−Ｒｂ・ｃｏｓθ」の交点Ｐｙにおいて、歯厚が薄くなる方向に最低修正量δ以上、歯９１を修正をする。【００６７】
最低修正量δだけ修正された歯９１の歯面は、曲線Ｔｈ１によって示される。この場合には、ホイール８０の歯８１のインボリュート作用線Ｌｉａは、基礎円１１１上の作用線Ｌ１に延長される。また、歯９１の修正量が、最低修正量δよりも大きい場合の歯面は、曲線Ｔｈ２によって示される。この場合には、ホイール８０の歯８１のインボリュート作用線Ｌｉａは、基礎円１１１よりも内方の作用線Ｌ２に延長される。このようにすることによって、ホイール８０の歯８１の曲げ強度を高めることができる。【００６８】
本発明の元となっている理論について、以下に開示する。なお、上述した本実施例に対して共通の構成要素については、共通の符号を付して、説明を省略する。【００６９】
従来の研究の主要な課題は、ウォームホイールを積極的に弾性変形させる最適なウォームの歯形の検討であった。このため、ウォームホイールの歯形についてはまだ改良の余地があった。【００７０】
従来の設計手法では、ウォームホイールを高強度化するため、モジュールやねじれ角を大きくして幾何学的に噛合い率を向上させていた。このような手法ではウォームホイール径を単純に大型化せざるを得なかった。【００７１】
本発明者らはこれを打破すべく、小型のウォームホイールの高強度化に取組んできた。本発明ではさらにウォームホイールを小型化することに挑み、新たにウォームホイールの歯元形状に着目した。その結果、ウォームホイールの基礎円（Base-circle）以下までウォームを有効に噛合わせることにより、噛合い率を向上させるという発想に到達した。これを具現化するために、まず、実際の加工で形成される基礎円以下の幾何学的形状について考察した。その考察に基づいて、基礎円以下まで有効に噛合う理論のことを、ＭＵＢ（Meshing Under Base-circle）理論ということにする。該ＭＵＢ理論を提案する。【００７２】
図５（ａ）に示される、従来のウォームホイール２２０の歯２２１の歯形は、インボリュート歯形（Involute Profile）である。該歯２２１の歯面には、従来のハブ２３０によって切り下げられた切下げ部分Ｕ（Undercut）が生じている。【００７３】
図５（ｂ）に示される、実施例のウォームホイール８０の歯８１の歯形は、ＭＵＢ理論に基づいた新形状（New Profile Formed by MUB Theory）の歯形である。該ＭＵＢ理論に基づいて、実際にウォームホイール８０（以下、ホイール８０という。）を製作し、噛合い長さを計測してＭＵＢ理論の効果を検証した。この研究の過程で得られた知見について報告する。【００７４】
ホイール８０の基礎円以下においてもウォームを噛合わせるＭＵＢ理論の提案【００７５】
図６には、従来のウォームとホイールとを噛み合わせたウォームギヤ機構が示されている（Contact Line of Worm Tooth Tip Corner Radius, Contact Line of Involute Worm Wheel）。従来は、ホイール２２０を大型化し、歯先２２１ａ方向に噛合い線３２１を延長させて噛合い率を向上させていた。本発明では、これとは逆の発想により、歯元２２１ｂ方向に噛合い線３２１を延長できれば大型化せずに噛合い率を向上できると考えた。これを実現させるために、基礎円３０１以下でも良好に噛合う新たな歯形の研究に取組んだ。【００７６】
インボリュート歯形の歯２２１にて基礎円３０１以下まで噛合わせるには、ホイール２２０をホブ（図５、符号２３０）で切下げて加工し、頂げきをなくしたウォーム（図１６参照）を噛合わせる必要がある。しかし、単純にこのような方法で噛合わせると、ウォーム２１０の歯先２１１ａがホイール２２０に接触するだけで、有効な噛合いが得られなかった。【００７７】
基礎円以下で噛合えない従来歯元形状の解析【００７８】
図７には、ホブの軌跡が示されている（Locus of Hob Cutter）。図７に示されるように、従来のインボリュートホブ２３０により形成される歯元形状を定式化し解析する。解析することにより、基礎円３０１以下でも有効に噛合う理想の歯形を探求する。ホイール２２０の歯２２１が絶対座標系に固定されて歯切りされる時、ホブ２３０のデータム線３１２（Datum Line）は、ホイール２２０の歯切りピッチ円上を滑ることなく転がる。ホブ２３０の歯（刃）２３１の中心２３１Ｃｅは、エピトロコイド曲線３１１を描く。該エピトロコイド曲線３１１に沿ってホブ２３０が移動する際にできる包絡線がホイール２２０の歯２２１の歯形を形成する。特に、基礎円３０１以下の歯元２２１ｂの形状は、ホブ２３０の歯先２３１ａによって形成される。【００７９】
図中、ＷＰは、ホブ２３０の作用点（Hob Cutter Working Point）を示している。３０７は、ホイール２２０のインボリュート形状部（Involute Profile）を示している。３０８は、ホイール２２０の歯元部（Dedendum Formed by Corner Radius）を示している。【００８０】
図８には、ホブの歯の包絡線（Envelope of Hob Tooth Tip）が示されている。図８に示されるように、歯元形状の定式化のためのモデル化を行った。まず、ホブ２３０の歯先円弧中心Ｔが描く線３１３を求め、次に、その線３１３上を半径ｒｈの円が移動した際の包絡線３１４を求める。【００８１】
ホブ２３０のデータム線３１２がホイール２２０のピッチ円３０２上のθの位相点Ｂ１にて接している時、線分Ａ１Ｂ１は円弧Ａ０Ｂ１が巻きほどかれたものであり、両者の長さが等しいことから、ホブ２３０の歯先円弧中心Ｔの座標（Ｘ，Ｙ）は、θを変数として（１）式、（２）式のように表せる。【００８２】
【数４】
2013084838.tif 000006
【００８３】
次に、歯先円弧中心の包絡線３１４を求める。包絡線３１４上の点Ｅは、点Ｔを通る線３１３（トロコイド曲線）の法線３１５上にある。距離ＴＥがホブ歯先半径ｒｈと一致する点であることから、（３）式乃至（５）式のように表せる。【００８４】
【数５】
2013084838.tif 000007
【００８５】
このことから、包絡線上の点Ｅ（Ｘ’，Ｙ’）は、（６）式、（７）式のように表せる。【００８６】
【数６】
2013084838.tif 000008
【００８７】
上記（６）式、（７）式を用いて、ホブ２３０の歯先円弧中心点を転位させた場合のトロコイド曲線を図９（ａ）〜図９（ｃ）に示す。ホブ２３０のデータム線を基準とする転位方向によって、トロコイド曲線が変化する。図９（ａ）の負転位トロコイドは、輪を描く曲線である。図９（ｂ）の零転位トロコイドは、ピッチ円３０２との交点が角部をもつ略Ｖ字曲線である。図９（ｃ）の正転位トロコイドは、凹形状と低曲率凸形状を併せもつ略Ｖ字曲線である。【００８８】
次に、それぞれの線３１３から形成される包絡線について考察する。図１０には、負転位トロコイドによる包絡線と、その包絡線を歯形として用いた歯車の作用線が示されている（Meshing of Gears Formed by Negative Shifted Trochoid）。図１０において、横軸は歯の厚み方向（Tooth Thickness Direction）に対応し、縦軸は歯先方向（Tooth Tip Direction）に対応している。【００８９】
作用線３１６（Line of Action）を基礎円３０１よりも中心側まで伸展できる。しかし、接触点Ｐ５（Contact Point）の圧力角（Pressure Angle）が７５ｄｅｇ（Ｐ６参照）となり、９０ｄｅｇ近傍まで大きくなる。このため、ウォームがセルフロックして回転不能になる（ＳＬ参照）。一方、これを回避するためにウォームに頂げきを設けると幾何学的に接触しなくなる。図中、ＰＰは、ピッチ点（Pitch Point）を示している。ピッチ点とは、歯車の噛み合い接触点における歯面の法線が常に通る点をいう。線３１７は、ウォーム歯形（Worm Profile）である。【００９０】
図１１には、零転位トロコイドによる包絡線とその作用線が示されている（Meshing of Gears Formed by Zero Shifted Trochoid）。図１１において、横軸は歯の厚み方向に対応し、縦軸は歯先方向に対応している。【００９１】
基礎円３０１以下の包絡線３１４は、円弧形状のノビコフ歯形となる。このため、正面噛合い率が１未満となり、歯車の機構学的条件である等速性を満たすことはできない。等速回転を伝えるためには、多条ウォームにより重なり噛合い率を１以上とする必要があるのでホイールが大型化する。図中、ＭＳは、同時噛み合い（Meshing Simultaneously）領域である。【００９２】
図１２には、正転位トロコイドによる包絡線とその作用線が示されている（Meshing of Gears Formed by Positive Shifted Trochoid）。図１２において、横軸は歯の厚み方向に対応し、縦軸は歯先方向に対応している。【００９３】
作用線３１６を基礎円３０１よりも中心側まで伸展することができる。接触点における包絡線３１４の法線３１５は常にピッチ点ＰＰを通るので、歯車の機構学的条件を満たし、有効に噛合うことができる。【００９４】
図１３には、歯元の形状（Profile of Dedendum）が示されている。図１２及び図１３に示されるように、以上の考察より、従来のインボリュート歯形にて基礎円３０１以下で噛合えないのは、歯元の形状が負転位トロコイドにより形成されているためであるとわかった。【００９５】
ＭＵＢ理論の提案【００９６】
上述の検討から、正転位トロコイドによりホイールの歯元歯形を形成できれば、基礎円以下でも有効に噛合う歯形が得られると考えた。正転位トロコイドを達成するには、ホブの歯先（歯末）円弧半径を拡大して、円弧の中心点をホブのデータム線よりも正方向に転位すればよい。【００９７】
図１４には、正転位トロコイドにより歯元歯形が形成されたホイールが示されている（MUB Profile of Worm Wheel）。その歯形を用いたウォームの噛合いを図１５に示す。ホイールの歯先８１ａ面では従来通りのインボリュートの噛合い線（図面に符号を入れて下さい。）をもち、歯元面では正転位トロコイドの作用線に沿って基礎円１１１以下まで噛合うことができる。これら２つの作用線（図面に符号を入れて下さい。）は滑らかにつながり、全ての接触領域で歯車の機構学的条件を満たすので、この新しい歯形により有効な噛合いが得られることを確認できた。【００９８】
図１５に示されるように、新歯形では、遠のき噛合い長さを従来限界のＬＯＡからＬＯＡmodまで延長でき、インボリュート歯形よりも噛合い率を向上できることを示した。ここで、遠のき噛合い長さ（length of recess path）とは、ピッチ点からウォームの歯先付近までの噛み合い長さをいう。【００９９】
このような基礎円１１１以下でも有効に噛合う噛合い理論をＭＵＢ（Meshing Under Base-circle）理論と名づけた。【０１００】
ホイールの弾性変形を考慮した噛合い【０１０１】
ここまでは、ホイールを剛体として検討してきた。これまでの研究から、ホイールの弾性変形を考慮すると、噛合い長さをさらに延長できることが予測できるので、この効果を調べるために検討を行った。【０１０２】
ホイールの弾性変形を考慮すると、図１５のように噛合い高さの低いＡ歯８１Ａに分担荷重が集中するので、従来は、ウォーム歯先面の歯厚をマイナス方向に修正して、集中荷重を他の噛合い歯８１Ｂ，８１Ｃに分散させていた。【０１０３】
歯８１を適用すると、トルク印加時の実際の噛合い作用線をホイールのピッチ円１１２方向に移動できる。修正ウォームとＭＵＢ理論に基づくホイール８０を噛合わせると図１６のようになり、噛合い作用線１２１の傾きを小さくできるので、前章までの検討結果よりもさらに噛合い長さを延長できる（Ｌ参照）。従来は２．２であった噛合い率を、ホイールを大型化せずに３．０以上に設計できるようになった。【０１０４】
次に、噛合い接触領域について考察する。
図１７には、従来のインボリュート歯形とＭＵＢ理論に基づく歯形の比較が示されている。横軸には、ホイールの接触高さ（Contact Height of Worm Wheel）が示されている。縦軸には、ピッチ線を基準とした接触高さ（Contact Height Above Pitch Line）が示されている。図面上側が歯先（addendum）方向であり、図面下側が歯元（dedendum）方向である。黒のダイヤによってプロットされた点を結んだ線３４１は、従来の結果を示している。白の○によってプロットされた点を結んだ線３４２は、ＭＵＢ理論による結果を示している。線３４３は、基礎円の噛み合い高さを示す線（Base Line）である。右下がりの斜線によって示される領域は、従来及びＭＵＢ理論の両方における接触領域（Contact Area）である。左下がりの斜線によって示される領域は、ＭＵＢ理論のみにおける接触領域である。ＭＵＢ理論によるホイールを採用することにより、より広くの領域において接触領域を得ることができる【０１０５】
図１８（ａ）に示されるように、インボリュート歯形のホイール２２０は、切下げにより、基礎円３０１以下まで噛合い領域を拡大することが困難である。
図１８（ｂ）に示されるような、ＭＵＢ理論に基づくホイール８０は、切下げを発生させないため、基礎円１１１以下まで良好に噛合い領域を拡大できる。【０１０６】
ＭＵＢ理論の噛合いテスト検証【０１０７】
提案したＭＵＢ理論に基づき設計されたウォームの噛合い性能検証のため、ウォーム位相に応じた噛合い変化を計算した後、実際にウォーム７０を製作して噛合い時の歯当たりを検証した。【０１０８】
図１９に示されるように、検証方法は、ウォーム７０の歯面にブルーペーストＢＰを塗布し、ホイール８０と噛合わせ、ウォーム７０にトルクを印加し、ブルーペーストＢＰの剥がれた領域の形状を測定した。【０１０９】
図１９（ａ）には、ブルーペーストＢＰを塗布したウォーム７０が示されている。図中、Ｓは、ホイール８０との接触が開始した点である（Start Point of Mesh）。Ｅは、ホイール８０との接触が終了した点である（End Point of Mesh）。ＣＡａは、ブルーペーストＢＰの剥がれている部位、即ち、ホイール８０に接触した部位である（Contact Area of Worm）。【０１１０】
図１９（ｂ）には、ウォーム７０に噛合わされたホイール８０が示されている。図中、ＣＡｂは、ブルーペーストＢＰが付着した部位、即ち、ウォーム７０に接触した部位である（Contact Area of Worm Wheel）。基礎円１１１よりも中心側までウォーム７０が接触していたことが分かる。【０１１１】
これらの検証結果を図２０に示す。図２０には、ウォームの接触範囲（Contact Area of Worm）が示されている。横軸には、ウォームの回転角度（Rotation Angle of Worm）が示されている。縦軸には、接触高さ（Contact Height）が示されている。ダイヤモンド形状のプロットによって示されるのは、インボリュート歯形によるホイールを用いた場合の計測結果（Actual Measurement of Involute Gear）である。三角形状のプロットによって示されるのは、実施例によるホイールを用いた場合の計算値（Calculated Point）である。丸形状のプロットによって示されるのは、実施例によるホイールを用いた場合の計測結果（Actual Measurement）である。ダイヤモンド形状でプロットされた点の外であって、丸形状でプロットされた点の内側の領域、即ち、斜線によって示された領域は、実施例によるホイールによって噛み合い領域が広がった分に相当する。【０１１２】
幾何学的に噛合いが開始するウォームの位相を基準として、ウォームの歯元から歯先方向に噛合いが進行していく場合のウォームの回転方向を正方向とした。なお、ホイールの回転角速度は１．０ｒｐｓ、ウォームの入力トルクは３．２Ｎｍとして検証した。【０１１３】
ウォーム歯面の噛合い領域はウォーム回転位相の約１０８０ｄｅｇに相当することから、噛合い率が３．０となることを実証した。噛合い率が２．２の従来歯形よりも噛合い率を３６％向上することができた。また、ホイールの噛合い領域は基礎円以下まで良好に拡大できていることを確認できた。【０１１４】
これらは理論検討結果と概ね一致しているので、ＭＵＢ理論の効果を検証できた。これにより、ＭＵＢ理論に基づき設計されたウォームギヤ機構の噛合いを予測できるようになった。従って、該ＭＵＢ理論は、小型・高強度ウォームギヤ機構の搭載が要求される電動パワーステアリング装置（ＥＰＳ）の設計手法として有効である。【０１１５】
ホイールを小型化するために、基礎円以下まで有効に噛合わせて噛合い率を向上させるＭＵＢ理論を提案し、実験によってその理論の効果を検証した。その結果、以下のことを明らかにした。【０１１６】
ホイールの歯元形状は、ホブの歯先円弧中心点の転位方向により３種類に分類できることがわかった。負転位トロコイドにより形成される歯形はセルフロックするので、基礎円以下で有効にかみ合うことができないことがわかった。零転位トロコイドにより形成される歯形は基礎円以下が円弧歯形となるので、歯車の等速性を満たすには多条ウォームが必要であり、ホイールが大型化することがわかった。歯元歯形を正転位トロコイドにより形成するＭＵＢ理論により、ホイールを大型化せずに、インボリュート歯形では噛合わなかった基礎円以下でも有効に噛合えるようになった。ＭＵＢ理論を適用すると、一般的に噛合い率が低いとされる１条ウォームにおいても３．０という高い噛合い率を達成できることを、噛合い試験により実証した。【０１１７】
尚、ウォームギヤ機構を電動パワーステアリング装置に搭載する例に基づいて説明したが、ウォームギヤ機構は、他の装置にも搭載することができ、電動パワーステアリング装置に限られるものではない。
【産業上の利用可能性】
【０１１８】
本発明のウォームギヤ機構は、車両の電動パワーステアリング装置に採用するのに好適である。
【符号の説明】
【０１１９】
４４…ウォームギヤ機構、７０…ウォーム、７１…ウォームの歯、７１ｃ…ウォームの歯末の面、７４…ウォームのピッチ線、８０…ウォームホイール、９０…ホブ、９１…ホブの歯、９１ｃ…ホブの歯末の面、９３…ホブの歯末の面の中心、９４…ホブのピッチ線、ＷＬ…ウォームの中心線、２１０…インボリュート歯形のウォーム、２２０…インボリュート歯形のウォームホイール、２００…従来のウォームギヤ機構、ＷＬ’…ホブの中心線、Ｌ…遠のき噛合い長さ、Ｌｌｉｍ…従来の遠のき噛合い長さ。
【図１】
2013084838.tif 000009
【図２】
2013084838.tif 000010
【図３】
2013084838.tif 000011
【図４】
2013084838.tif 000012
【図５】
2013084838.tif 000013
【図６】
2013084838.tif 000014
【図７】
2013084838.tif 000015
【図８】
2013084838.tif 000016
【図９】
2013084838.tif 000017
【図１０】
2013084838.tif 000018
【図１１】
2013084838.tif 000019
【図１２】
2013084838.tif 000020
【図１３】
2013084838.tif 000021
【図１４】
2013084838.tif 000022
【図１５】
2013084838.tif 000023
【図１６】
2013084838.tif 000024
【図１７】
2013084838.tif 000025
【図１８】
2013084838.tif 000026
【図１９】
2013084838.tif 000027
【図２０】
2013084838.tif 000028
【図２１】
2013084838.tif 000029
【図２２】
2013084838.tif 000030
【図２３】
2013084838.tif 000031
【図２４】
2013084838.tif 000032
【図２５】
2013084838.tif 000033
【図２６】
2013084838.tif 000034
【図２７】
2013084838.tif 000035
【図２８】
2013084838.tif 000036
【図２９】
2013084838.tif 000037
【図３０】
2013084838.tif 000038
【図３１】
2013084838.tif 000039
【図３２】
2013084838.tif 000040
【図３３】
2013084838.tif 000041
【図３４】
2013084838.tif 000042
【図３５】
2013084838.tif 000043
【図３６】
2013084838.tif 000044
【図３７】
2013084838.tif 000045
【図３８】
2013084838.tif 000046
【国際調査報告】
2013084838.tif 000047
2013084838.tif 000048
2013084838.tif 000049
2013084838.tif 000050